(57)【要約】【課題】原稿を背景と区別しながらリニアイメージセンサで原稿の読み取りを実行する場合において、原稿の読み取り前に原稿読取面上に位置する背景板を切り替えなくても、光量の変動に対応できる原稿読取装置を提供する。【解決手段】原稿読取装置４１は、原稿を背景と区別するために、リニアイメージセンサにより原稿と同時に読み取られる黒色の第１の領域部９５と、主走査方向９３に沿って第１の領域部９５と並ぶ位置に設けられた領域部であり、光量データを取得するために、リニアイメージセンサにより読み取られる白色の第２の領域部９７と、シェーディング補正データ及び上記光量データを利用して、原稿の読み取りで得られた画像データについてシェーディング補正をする補正部と、を備える。【選択図】図７
2009253919.tif 000002
【特許請求の範囲】
【請求項１】
リニアイメージセンサと、
原稿を背景と区別するために、前記リニアイメージセンサにより前記原稿と同時に読み取られる第１の領域部と、
前記リニアイメージセンサの主走査方向に沿って前記第１の領域部と並ぶ位置に設けられた領域部であり、光量データを取得するために、前記リニアイメージセンサにより読み取られる第２の領域部と、
シェーディング補正データ及び前記第２の領域部の読み取りにより得られた光量データを利用して、前記原稿の読み取りで得られた画像データについてシェーディング補正をする補正部と、を備えた原稿読取装置。
【請求項２】
前記リニアイメージセンサでの読み取りが行われる位置へ前記原稿を自動送りする原稿自動送り部を備えた請求項１に記載の原稿読取装置。
【請求項３】
前記第１の領域部の前記主走査方向の寸法は、前記背景の前記主走査方向の寸法を規定しており、
前記主走査方向において、前記第２の領域部は前記背景の外側に位置している、請求項１又は２に記載の原稿読取装置。
【請求項４】
シェーディング補正データを取得するために、前記リニアイメージセンサにより読み取られる第３の領域部と、
副走査方向に移動可能であり、前記原稿を読み取るときは前記第１及び第２の領域部を読み取ることができる位置に移動し、前記シェーディング補正データを予め取得するときは前記第３の領域部を読み取ることができる位置に移動するキャリッジと、を備えた請求項１〜３のいずれか一項に記載の原稿読取装置。
【請求項５】
前記第３の領域部は、前記第１及び第２の領域部と前記副走査方向において隣接している、請求項４に記載の原稿読取装置。
【請求項６】
前記リニアイメージセンサで複数枚の原稿の読み取りを実行する場合、前記シェーディング補正データは前記複数枚の原稿に対して共通に用いられ、
前記複数枚の原稿を読み取ったときの画質差が原稿間で生じるのを抑制するために、前記補正部は各原稿の前記画像データについて前記シェーディング補正をする、請求項１〜５のいずれか一項に記載の原稿読取装置。
【請求項７】
前記原稿を読み取ったときの画質差が前記原稿のライン間で生じるのを抑制するために、前記補正部は前記画像データについて前記シェーディング補正をする、請求項１〜６のいずれか一項に記載の原稿読取装置。
【発明の詳細な説明】
【技術分野】
【０００１】
本発明は、リニアイメージセンサで原稿を読み取る原稿読取装置に関し、特にシェーディング補正に関する。
【背景技術】
【０００２】
原稿読取装置として、原稿サイズ検知用の黒板とシェーディング補正用の白基準板を副走査方向に移動可能に並べて配置し、原稿の読み取り、シェーディング補正データの取得に応じて黒板と白基準板を切り替えるものがある（例えば特許文献１参照）。
【０００３】
【特許文献１】特開平６−１８９０７５号公報（段落００２２〜段落００２４、段落００２９〜段落００３０、第３図、第４図、第６図）
【０００４】
この装置では、原稿自動送り部から一枚ずつ送られる複数枚の原稿を以下のステップにより読み取る。
（１）原稿読取面（コンタクトガラス）上に位置している白基準板に光を照射して白基準板を読み取ることによりシェーディング補正データを取得する。
（２）原稿読取面上に位置する板を白基準板から黒板に切り替える。
（３）原稿読取面上に黒板が位置した状態で原稿読取面に送られてきた第１枚目の原稿に光を照射して第１枚目の原稿及び黒板を読み取る。
（４）原稿読取面上に位置する板を黒板から白基準板に切り替える。
（５）原稿読取面上に位置している白基準板に光を照射して白基準板を読み取ることによりシェーディング補正データを取得する。すなわち、（１）と同じステップを行う。
（６）原稿読取面上に位置する板を白基準板から黒板に切り替える。すなわち、（２）と同じステップを行う。
（７）原稿読取面上に黒板が位置した状態で原稿読取面に送られてきた第２枚目の原稿に光を照射して第２枚目の原稿及び黒板を読み取る。すなわち、第２枚目の原稿について（３）と同じステップを行う。
第３枚目以降の原稿についても（４）から（７）を繰り返す。
【０００５】
上記装置では背景を黒板にすることで原稿と背景を区別し、これにより原稿サイズを検知している。また、光源からの光量が一定でなく変動することを考慮して、上記装置では各原稿について原稿の読み取り前にシェーディング補正データを取得している。
【発明の開示】
【発明が解決しようとする課題】
【０００６】
上記装置では複数枚の原稿を読み取る場合において、各原稿の読み取り前に原稿読取面上に位置する背景板（黒板と白基準板）を切り替えている。
本発明の目的は、原稿を背景と区別しながらリニアイメージセンサで原稿の読み取りを実行する場合において、原稿の読み取り前に原稿読取面上に位置する背景板を切り替えなくても、光量の変動に対応できる原稿読取装置を提供することである。
【課題を解決するための手段】
【０００７】
本発明に係る原稿読取装置は、リニアイメージセンサと、原稿を背景と区別するために、前記リニアイメージセンサにより前記原稿と同時に読み取られる第１の領域部と、前記リニアイメージセンサの主走査方向に沿って前記第１の領域部と並ぶ位置に設けられた領域部であり、光量データを取得するために、前記リニアイメージセンサにより読み取られる第２の領域部と、シェーディング補正データ及び前記第２の領域部の読み取りにより得られた光量データを利用して、前記原稿の読み取りで得られた画像データについてシェーディング補正をする補正部と、を備える。
【０００８】
本発明に係る原稿読取装置は、前記リニアイメージセンサでの読み取りが行われる位置へ前記原稿を自動送りする原稿自動送り部を備える、ようにすることができる。
【０００９】
本発明は、原稿自動送り部を使用して大量の原稿を高速で読み取るときに特に有効である。
【００１０】
本発明に係る原稿読取装置において、前記第１の領域部の前記主走査方向の寸法は、前記背景の前記主走査方向の寸法を規定しており、前記主走査方向において、前記第２の領域部は前記背景の外側に位置している、ようにすることができる。
【００１１】
これによれば、原稿と背景の区別に支障を生じさせないで第２の領域部を読み取ることができる。
【００１２】
本発明に係る原稿読取装置は、シェーディング補正データを取得するために、前記リニアイメージセンサにより読み取られる第３の領域部と、副走査方向に移動可能であり、前記原稿を読み取るときは前記第１及び第２の領域部を読み取ることができる位置に移動し、前記シェーディング補正データを予め取得するときは前記第３の領域部を読み取ることができる位置に移動するキャリッジと、を備えるようにすることができる。
【００１３】
これによれば、第１及び第２の領域部の読み取りと第３の領域部の読み取りの選択を、それらの領域部の移動ではなくキャリッジの移動で行っているので、それらの領域部を移動させる機構を設ける必要がなくなる。
【００１４】
本発明に係る原稿読取装置において、前記第３の領域部は、前記第１及び第２の領域部と前記副走査方向において隣接している、ようにすることができる。
【００１５】
これによれば、第１及び第２の領域部の読み取りと第３の領域部の読み取りの選択を切り替える時間を短縮できる。
【００１６】
本発明に係る原稿読取装置において、前記リニアイメージセンサで複数枚の原稿の読み取りを実行する場合、前記シェーディング補正データは前記複数枚の原稿に対して共通に用いられ、前記複数枚の原稿を読み取ったときの画質差が原稿間で生じるのを抑制するために、前記補正部は各原稿の前記画像データについて前記シェーディング補正をする、ようにすることができる。
【００１７】
これによれば、原稿を背景と区別しながらリニアイメージセンサで複数枚の原稿の読み取りを実行した場合において、複数枚の原稿を読み取ったときの画質差が原稿間（例えば最初の原稿と最後の原稿の間）で生じるのを抑制することができる。
【００１８】
本発明に係る原稿読取装置において、前記原稿を読み取ったときの画質差が前記原稿のライン間で生じるのを抑制するために、前記補正部は前記画像データについて前記シェーディング補正をする、ようにすることができる。
【００１９】
これによれば、原稿を読み取ったときの画質差がその原稿のライン間（例えば、最初の行と最後の行の間）で生じるのを抑制することができる。
【発明の効果】
【００２０】
本発明によれば、リニアイメージセンサで原稿の読み取りを実行する場合、第１及び第２の領域部を読み取っている。第１の領域部を読み取ることにより原稿と背景を区別している。第２の領域部を読み取ることにより光量データを取得している。そして、光量データ及びシェーディング補正データを利用して、原稿の読み取りで得られた画像データについてシェーディング補正をしている。第１の領域部と第２の領域部は主走査方向に沿って並んで設けられている。以上より本発明によれば、原稿を背景と区別しながらリニアイメージセンサで原稿の読み取りを実行する場合において、原稿の読み取り前に原稿読取面上に位置する背景板を切り替えなくても、光量の変動に対応できる。
【発明を実施するための最良の形態】
【００２１】
本発明の実施形態について図面を用いて説明する。図１は、本実施形態に係る原稿読取装置を備えた複合機１の構成を示すブロック図である。複合機１は、コピー、ファクシミリ、スキャナ及びプリンタの機能を有する。
【００２２】
複合機１は、ＭＰＵ(Micro Processing Unit)３、リニアイメージセンサ５、画像記録部７、表示部９、操作部１１、モデム１３、ＮＣＵ(Network Control Unit)１５、ＲＯＭ(Read Only Memory)１７、ＲＡＭ(Random Access Memory)１９、画像メモリ２１、コーデック２３、ＬＡＮ(Local Area Network)インターフェース２５等が相互にバス２７で接続された構成を有する。ＭＰＵ３は、複合機１を構成する上記ハードウェアを制御すると共に複合機１の動作に必要なソフトウェアを実行する。
【００２３】
リニアイメージセンサ５は、ラインセンサ又は一次元センサとも称され、原稿（文字、図、写真等）を読み取って画像データとして出力する。リニアイメージセンサ５には、ＣＣＤ(Charge Coupled Device)型とＣＭＯＳ型(Complementary Metal Oxide Semiconductor)がある。画像記録部７は、電子写真方式等のプリンタであり、リニアイメージセンサ５から出力された画像データ、ファクシミリ通信により受信した別のファクシミリ機からの画像データ等を画像に戻し、この画像が記録された用紙を出力する。
【００２４】
表示部９は、複合機１の動作状態、各種設定内容等を表示する。表示部９は、ＬＣＤ(Liquid Crystal Display)、ＣＲＴ(Cathode Ray Tube)等で実現される。操作部１１は、複合機１の操作に必要なキー（テンキー、スタートキー、リセットキー、各種のファンクションキー等）を備える。
【００２５】
モデム１３は、通常のファクシミリ通信用のファクシミリモデムの機能を有する。また、モデム１３は、ＮＣＵ１５と直接に接続されている。ＮＣＵ１５は、公衆電話回線２９を閉結及び開放する機能の他に、通信する相手方の電話番号に応じたダイヤルパルスを送出する機能及び着信を検出する機能を有する。また、ＮＣＵ１５は、モデム１３を必要に応じて公衆電話回線２９に接続する。
【００２６】
ＲＯＭ１７は、フラッシュメモリ等により実現されており、複合機１の動作に必要なソフトウェアを記憶している。ＲＡＭ１９は、ＳＲＡＭ(Static Random Access Memory)、ＤＲＡＭ(Dynamic Random Access Memory)等により実現されている。ＲＡＭ１９は、ソフトウェアの実行時に発生するデータの一時的な記憶及びアプリケーションソフトの記憶等に利用される。    
【００２７】
画像メモリ２１は、ＤＲＡＭ等で実現されており、送信すべき画像データ、受信した画像データ及びリニアイメージセンサ５から出力された画像データ等を一時的に記憶する。
【００２８】
コーデック２３は、画像データを符号化圧縮すると共に符号化圧縮されている画像データを復号する。ＬＡＮインターフェース２５は、複合機１がＬＡＮ３１と通信可能に接続するインターフェースである。
【００２９】
図２は、本実施形態に係る原稿読取装置４１の主要な構成を示す図である。原稿読取装置４１は、図１に示す複合機１の一部を構成しており、コピー機能、スキャナ機能及びファクシミリ送信機能を利用するときに使用される。
【００３０】
原稿読取装置４１は、本体部４３と原稿自動送り部４５により構成される。まず、本体部４３から説明する。本体部４３は、原稿自動送り部４５と対向する表面を有する。この表面は、原稿読取面４７、原稿台４９、遮光性のフレーム５１，５３により構成される。原稿読取面４７は、リニアイメージセンサ５の主走査方向（図２の紙面垂直方向）に延びる細長のガラス板であり、原稿自動送り方式のときに使用される。原稿台４９はガラス平板であり、フラットベッドスキャナ方式のときに使用される台である。
【００３１】
フレーム５１，５３により原稿読取面４７が支持される。フレーム５３により原稿台４９が支持される。フレーム５３は、カーブ状の原稿送り面５５を有しており、原稿送り面５５から原稿台４９の上へ延びる延在部５７を有する。延在部５７と原稿台４９の間に領域部材５９が挟まれている。領域部材５９は、主走査方向に延びる白色の部材であり、シェーディング補正データを取得するためにリニアイメージセンサ５で読み取られる第３の領域部となる。
【００３２】
本体部４３の内部には、原稿の読取ユニットであるキャリッジ(carriage)６１が配置されている。キャリッジ６１は、図示しない駆動機構により副走査方向６３に移動可能にされている。
【００３３】
キャリッジ６１は、リニアイメージセンサ５、光源６５、ミラー６７及びレンズ６８を備える。これらは主走査方向に延びている。図２では、光源６５から出た光６９が原稿読取面４７を通過して原稿７１で反射され、再び原稿読取面４７を通過してミラー６７で反射され、レンズ６８を通過して、リニアイメージセンサ５で受光している状態が示されている。
【００３４】
次に、原稿自動送り部４５について説明する。原稿自動送り部４５の内部には、複数の搬送ローラ８１が配置されている。回転する搬送ローラ８１で原稿７１を挟んで、原稿７１を給紙トレイから排紙トレイへ向かう搬送路８３を自動送りする。
【００３５】
原稿自動送り部４５の裏面８５は、本体部４３と対向している。裏面８５の原稿読取面４７と対向する付近には、原稿出口部８７及び原稿入口部８９が形成されている。搬送路８３を自動送りされる原稿７１は、原稿出口部８７からいったん原稿自動送り部４５の外に出て原稿読取面４７上を通り、原稿送り面５５でガイドされて原稿入口部８９から原稿自動送り部４５の中に入り、排紙トレイへ送られる。
【００３６】
原稿自動送り部４５は、原稿読取面４７と対向するように、裏面８５上に配置された領域部材９１を有する。領域部材９１について詳細に説明する。図３は、図２のＡ−Ａ断面であり、領域部材９１と原稿読取面４７の断面が示されている。図４は、領域部材９１の平面図である。
【００３７】
領域部材９１は、主走査方向９３に延びる第１の領域部９５及びこの両側に位置する第２の領域部９７により構成される部材である。第１の領域部９５の主走査方向９３の寸法９９は、背景の主走査方向９３の寸法を規定している。第１の領域部９５は、黒色領域であり、原稿７１をリニアイメージセンサ５で読み取る場合において、原稿７１と背景を区別するために、原稿７１と同時にリニアイメージセンサ５で読み取られる。原稿７１と背景を区別できるようにするために、原稿通過領域の主走査方向９３の寸法１０１は寸法９９より小さくされている。
【００３８】
第２の領域部９７は、主走査方向９３に沿って第１の領域部９５と並ぶ位置に設けられた白色の領域部である。第２の領域部９７は、光量データを取得するために、リニアイメージセンサ５により読み取られる。主走査方向９３において、第２の領域部９７は背景の外側に位置している。よって、原稿７１と背景の区別に支障を生じさせないで第２の領域部９７を読み取ることができる。
【００３９】
第１の領域部９５と第２の領域部９７は、リニアイメージセンサ５により同時に読み取られる。このため、主走査方向９３において、領域部材９１の寸法は、リニアイメージセンサ５の読み取り可能領域の寸法１０３と略同じ又は大きくしている。
【００４０】
次に、原稿読取装置４１でのシェーディング補正について説明する。原稿７１を読み取ることにより得られた画像データは、シェーディング補正することにより、画像の周辺部が本来よりも暗くなることを防止している。図５は、リニアイメージセンサ５のシェーディング補正データの一例を示すグラフである。横軸は、リニアイメージセンサ５を構成する画素１１１の第１番目からの順番を示している。リニアイメージセンサ５の画素１１１の数を７５００個とする。縦軸は、シェーディング補正データ（言い換えれば、補正係数）を示している。シェーディング補正データは、例えば、各画素１１１において標準となる白色の濃度値である。第１番目、第２番目、・・・、第７５００番目のそれぞれの画素１１１にシェーディング補正データが割り当てられている。
【００４１】
リニアイメージセンサ５で原稿７１を読み取った時の各画素１１１での読取値（入力値）に、次式を適用してシェーディング補正をする。
読取値×（最大濃度値／シェーディング補正データ）
最大濃度値は例えば２５５である。これは濃度値を８ビットで表現したときの最大濃度値である。０が最も暗く、２５５が最も明るいことを示している。
【００４２】
上記式から分かるように読取値が小さくても、シェーディング補正データを小さくすれば、補正後の値を大きくすることができる。画像の周辺部は本来よりも暗くなるので図５に示すようにリニアイメージセンサ５の両端付近ではシェーディング補正データを小さくしている。
【００４３】
ところで、リニアイメージセンサ５で複数枚の原稿７１の読み取りを実行する場合、特に、原稿自動送り方式で大量の原稿７１を連続して読み取る場合、読み取り開始から終了までの期間、光源６５を点灯し続けているので、光源６５の温度が上昇する。したがって、上記期間中に光源６５からの光量が少しずつ低下することになる。よって、同じ（共通の）シェーディング補正データを用いて画像データをシェーディング補正すれば、各原稿７１の画像データをシェーディング補正できても、複数枚の原稿７１を読み取ったときの画質差が原稿７１間で生じてしまう。言い換えれば、原稿７１を読み取ったときの画質が原稿７１毎に異なる問題が生じる。
【００４４】
本実施形態では、リニアイメージセンサ５で複数枚の原稿７１の読み取りを実行する場合、各原稿７１の読み取り中にリニアイメージセンサ５で第２の領域部９７を読み取ることにより、各原稿７１の読み取り中での光量データを取得している。図６は、光量データの一例を示す図である。横軸は、第１枚目の原稿７１、第２枚目の原稿７１、・・・を示している。縦軸は、光量データを示している。光量データとしては、例えば濃度値を用いることができる。濃度値を８ビットで表現したとき、最も暗いのが０であり、最も明るいのが２５５である。
【００４５】
第１枚目の原稿７１、第２枚目の原稿７１、・・・、第１００枚目の原稿７１の読み取り中、すなわち各回の読み取り中での光量データを比較すれば分かるように、光源６５からの光量が少しずつ低下するので、後の原稿７１になるに従い光量データが低下している。
【００４６】
例えば、図５のシェーディング補正データを共通のシェーディング補正データとする。第１枚目の原稿７１の画像データについては、図５のシェーディング補正データを適用する。第２枚目以降の原稿７１の画像データについては、図５のシェーディング補正データを下へ、すなわち値が小さくなる方へシフトしたものをシェーディング補正データとして適用する。
【００４７】
シフト量は、その原稿７１と第１枚目の原稿７１とで同じ濃度の領域については同じ濃度値を得ることができる値である。言い換えれば、その原稿７１の画質が第１枚目の原稿７１の画質と同じようになる値である。一例として、シフト量は、その原稿７１の読み取り中での光量データと第１枚目の原稿７１の読み取り中での光量データを基にして定める。例えば、光量データが「３」だけ低下すれば、シェーディング補正データを「３」だけ下にシフトする。シフトのやり方としては、全ての画素１１１についてシェーディング補正データを、一定割合（例えば２．５パーセント）だけ下げる方法と一定値（例えば３）だけ下げる方法がある。
【００４８】
第２の領域部９７の色が白色を例にして説明したが、第２の領域部９７から光量データが取得できれば他の色でもよい（例えば薄い黄色）。第２の領域部９７を読み取るタイミングは原稿７１の読み取り中に限定されず、原稿７１の読み取りが終了してから次の原稿７１の読み取りが開始されるまでの期間中でもよい。
【００４９】
このように本実施形態では、複数枚の原稿７１を読み取ったときの画質差が原稿７１間で生じるのを抑制するために、共通のシェーディング補正データ及び第２の領域部９７の読み取りにより得られた光量データを利用して、各原稿７１の画像データについてシェーディング補正をしている。この補正を実行する補正部は、図１のＭＰＵ３、ＲＯＭ１７、ＲＡＭ１９、画像メモリ２１等により構成される。
【００５０】
次に、図２の原稿読取装置４１において原稿自動送り方式により複数枚の原稿７１を連続して読み取る処理について説明する。原稿自動送り部４５の給紙トレイに複数枚の原稿７１をセットして、必要に応じて各種設定（解像度等の設定）をし、図１の操作部１１に設けられたスタートキーを操作する。
【００５１】
領域部材５９（すなわち白色の部材からなる第３の領域部）を読み取ることができる位置に、キャリッジ６１が副走査方向６３に移動する。光源６５から光６９を領域部材５９に向けて照射して、リニアイメージセンサ５で領域部材５９を読み取ることにより、共通のシェーディング補正データを予め取得する。なお、領域部材５９の主走査方向の寸法は、図４に示すリニアイメージセンサの読み取り可能領域の寸法１０３より大きくしている。これにより、シェーディング補正データを取得できるようにしている。
【００５２】
共通のシェーディング補正データの取得後、領域部材９１（第１の領域部９５及び第２の領域部９７）を読み取ることができる位置に、キャリッジ６１が副走査方向６３を移動する。光源６５からの光６９を領域部材９１に照射した状態で、原稿自動送り部４５により原稿７１を一枚ずつ原稿読取面４７に送り、リニアイメージセンサ５で原稿７１を連続して読み取る。本実施形態での原稿自動送り部４５を用いた読み取りは、いわゆるシートスルー方式であり、キャリッジ６１を固定した状態で原稿７１を移動させて読み取りを行う。
【００５３】
各原稿７１の読み取りにおいて、原稿読取面４７上で原稿７１と重なる黒色の第１の領域部９５を原稿７１と同時にリニアイメージセンサ５で読み取ることにより、原稿７１を背景と区別している。これにより、本実施形態では、原稿７１のスキュー(skew)角度を検出して原稿７１の画像データのスキュー角度を補正し、画像が傾かないようにしている。なお、原稿７１と背景の区別は、原稿サイズの検知に用いることもできる。
【００５４】
そして、上述した方法により、各原稿７１の読み取りで得られた画像データについてシェーディング補正をする。
【００５５】
以上説明したように、本実施形態によれば、リニアイメージセンサ５で複数枚の原稿７１の読み取りを実行する場合、各原稿７１の読み取り中において第１の領域部９５及び第２の領域部９７を読み取っている。第１の領域部９５を読み取ることにより原稿７１と背景を区別している。第２の領域部９７を読み取ることにより原稿７１の読み取り中での光量データを取得している。そして、光量データ及び領域部材５９（第３の領域部）を読み取ることにより予め取得していた共通のシェーディング補正データを利用して、各原稿７１の画像データについてシェーディング補正をしている。これにより、光量の変動が原因で複数枚の原稿７１を読み取ったときの画質差が原稿７１間で生じることを抑制している。また、第１の領域部９５と第２の領域部９７は主走査方向９３に沿って並んで設けられている。
【００５６】
このように本実施形態によれば、原稿７１を背景と区別しながらリニアイメージセンサ５で複数枚の原稿７１の読み取りを実行する場合において、各原稿７１の読み取り前に原稿読取面上に位置する背景板を切り替えなくても、光量の変動に対応することができる。また、各原稿７１の読み取り前に原稿読取面上に位置する背景板を切り替える必要がないので、読み取り開始までの時間を短縮することができる。
【００５７】
本実施形態では、光源６５を点灯し続けることによる光量低下に対してシェーディング補正をしている。上記の通り、第２の領域部９７を読み取ることにより得られる光量データ及び共通のシェーディング補正データを利用して、各原稿７１の画像データについてシェーディング補正をしている。したがって、本実施形態では光源６５からの光量の経時的低下に対するシェーディング補正を同時に行っていることになる。よって、光量の経時的低下に対するシェーディング補正のために、各原稿７１の読み取り前に背景板を切り替えて又は白基準板の位置にキャリッジ６１を移動させてシェーディング補正データを取得する動作が不要となり、読み取り開始までの時間を短縮することができる。
【００５８】
図３に示すように、本実施形態では、第２の領域部９７が原稿読取面４７上であって原稿７１と重ならない位置に設けられている。したがって、第２の領域部９７の読み取りは、原稿７１の読み取りと同時、原稿７１の読み取り開始前、原稿７１の読み取り終了後、いずれの時期でも可能である。よって、光量データを取得するタイミングの自由度を向上させることができる。
【００５９】
光量変動により、原稿７１を読み取ったときの画質差が原稿７１のライン間（例えば、最初の行と最後の行の間）、言い換えれば画質差が副走査方向６３で生じることがある。本実施形態の次に説明する態様では、その画質差が生じるのを抑制することができる。この態様では予め取得された又は予め設定されたシェーディング補正データと各ラインにおける光量データを用いて、上述した方法と同様にして画像データについてシェーディング補正をする。
【００６０】
この態様によれば、原稿７１を背景と区別しながらリニアイメージセンサ５で原稿７１の読み取りを実行した場合において、原稿７１を読み取ったときの画質差がライン間で生じるのを抑制することができる。この態様でも、シェーディング補正データを予め設定しておけば、原稿７１の読み取り前に原稿読取面上に位置する背景板を切り替える必要がないので、読み取り開始までの時間を短縮することができる。
【００６１】
本実施形態では、光量の変動に対応できる例として、光源６５からの光量低下の影響をなくすことができることを挙げている。光量の変動に対応できる他の例としては、光源６５からの光量が安定せずに多くなったり少なくなったりする場合が挙げられる。
【００６２】
原稿自動送り部４５は、リニアイメージセンサ５での読み取りが行われる位置（原稿読取面４７）へ原稿７１を自動送りする装置である。この装置を使用して大量の原稿を読み取るときに、光源６５からの光量が低下する問題が大きくなる。したがって、本実施形態は、原稿自動送り部４５を使用して大量の原稿を高速で読み取るときに特に有効である。
【００６３】
本実施形態によれば、原稿７１を読み取るときは領域部材９１（第１の領域部９５及び第２の領域部９７）を読み取ることができる位置にキャリッジ６１を移動させている。また、共通のシェーディング補正データを予め取得するときは領域部材５９（第３の領域部）を読み取ることができる位置にキャリッジ６１を移動させている。このように、第１の領域部９５及び第２の領域部９７の読み取りと第３の領域部の読み取りの選択を、それらの領域部の移動ではなくキャリッジ６１の移動で行っているので、それらの領域部を移動させる機構を設ける必要がなくなる。なお、リニアイメージセンサ５で読み取れる位置に、領域部材９１と領域部材５９を移動させる態様でもよい。
【００６４】
本実施形態では、原稿７１の読み取りを開始する前に、共通のシェーディング補正データを取得しているが、原稿読取装置４１を備えた複合機１の工場出荷時に、共通のシェーディング補正データを予め設定していてもよい。
【００６５】
次に、フラットベッドスキャナ方式での実施形態を説明する。図７は、本実施形態に係る原稿読取装置４１の外観を示す斜視図である。原稿読取装置４１は、操作パネル１２１を有する本体部４３と、本体部４３の原稿読取面４７及び原稿台４９を有する表面に対して開閉自在に設けられた原稿自動送り部４５と、を備える。操作パネル１２１には、図１に示す表示部９及び操作部１１が設けられている。
【００６６】
原稿自動送り部４５の裏面８５には、原稿台４９を覆う大きさを有する第１の領域部１２３と、第２の領域部９７と同様の大きさを有する第２の領域部１２５が設けられている。第２の領域部１２５は、第１の領域部１２３の副走査方向６３に沿うそれぞれの辺の外側に位置している。言い換えれば、第２の領域部９７は、主走査方向９３に沿って第１の領域部１２３と並ぶ位置に設けられている。フラットベッドスキャナ方式において、第１の領域部１２３は第１の領域部９５と同じ機能を有し、第２の領域部１２５は第２の領域部９７と同じ機能を有する。
【００６７】
フラットベッドスキャナ方式では、原稿台４９上に原稿を置き、原稿自動送り部４５を閉じて、スタートキーを操作することにより読み取りが実行される。フラットベッドスキャナ方式では、キャリッジ６１を副走査方向６３に移動させながら読み取りが行われる。
【００６８】
フラットベッドスキャナ方式でも、大量の原稿を読み取る場合、原稿台４９に原稿をセットしてスタートキーを操作する動作を連続して繰り返す必要がある。このため、光源６５の温度が上昇して光源６５からの光量が低下する問題が生じるので、本発明は有効となる。フラットベッドスキャナ方式での実施形態によれば、原稿自動送り方式の実施形態と同様に、光源６５からの光量が経時的に低下する問題についても解決することができる。
【００６９】
本実施形態に係る原稿読取装置４１は、図２に示すように、領域部材９１（第１の領域部９５及び第２の領域部９７）を領域部材５９（第３の領域部）から離しているが、これらを副走査方向６３に沿って隣接させる態様でもよい。図８は、その態様の領域部材９１及び領域部材５９を示す平面図である。図８の態様では、領域部材９１及び領域部材５９が図２の領域部材９１の箇所に配置する。図８の態様によれば、領域部材９１と領域部材５９が隣接しているので、第１の領域部９５及び第２の領域部９７の読み取りと第３の領域部（領域部材５９）の読み取りの選択を切り替える時間を短縮できる。
【００７０】
本実施形態において、図４に示すように、第２の領域部９７が第１の領域部９５の両側に設けられているが片側だけでもよい。
【００７１】
また、図９に示すように、主走査方向９３に沿って、第２の領域部９７の両側に第１の領域部９５が配置された態様でもよい。図９の態様では、中央に第２の領域部９７が配置されている。この位置に第２の領域部９７があれば、第２の領域部９７が原稿７１のエッジと重なることはないので、原稿７１と背景の区別に支障をきたさない。図９の態様によれば、リニアイメージセンサ５の主走査方向９３の寸法を小さくすることができる。なお、第２の領域部９７の位置は領域部材９１の中央に限らず、原稿読取装置４１で読み取り可能なサイズの原稿７１について、いずれのサイズの原稿７１もエッジが通過しない位置であればよい。図９の態様では原稿７１と第２の領域部９７が重なるので、原稿７１の読み取り中に光量データを取得することができない。このため、原稿７１の読み取りが終了してから次の原稿７１の読み取りが開始されるまでの期間中に光量データを取得する必要がある。
【図面の簡単な説明】
【００７２】
【図１】本実施形態に係る原稿読取装置４１を備えた複合機１の構成を示すブロック図である。
【図２】本実施形態に係る原稿読取装置４１の主要な構成を示す図である。
【図３】図２のＡ−Ａ断面を示す図である。
【図４】第１の領域部９５及び第２の領域部９７で構成される領域部材９１の平面図である。
【図５】リニアイメージセンサ５のシェーディング補正データの一例を示すグラフである。
【図６】各原稿の読み取り中に第２の領域部９７を読み取ることにより得られた光量データの一例を示す図である。
【図７】本実施形態に係る原稿読取装置４１の外観を示す斜視図である。
【図８】領域部材９１と領域部材５９を並べた態様の平面図である。
【図９】中央部に第２の領域部９７を配置し、その両側に第１の領域部９５を配置した態様の領域部材９１の平面図である。
【符号の説明】
【００７３】
１・・・複合機、３・・・ＭＰＵ、５・・・リニアイメージセンサ、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・バス、２９・・・公衆電話回線、３１・・・ＬＡＮ、４１・・・原稿読取装置、４３・・・本体部、４５・・・原稿自動送り部、４７・・・原稿読取面、４９・・・原稿台、５１，５３・・・フレーム、５５・・・原稿送り面、５７・・・延在部、５９・・・領域部材（第３の領域部）、６１・・・キャリッジ、６３・・・副走査方向、６５・・・光源、６７・・・ミラー、６８・・・レンズ、６９・・・光、７１・・・原稿、８１・・・搬送ローラ、８３・・・搬送路、８５・・・裏面、８７・・・原稿出口部、８９・・・原稿入口部、９１・・・領域部材、９３・・・主走査方向、９５・・・第１の領域部、９７・・・第２の領域部、９９・・・第１の領域部の主走査方向の寸法、１０１・・・原稿通過領域の主走査方向の寸法、１０３・・・リニアイメージセンサの読み取り可能領域の寸法、１１１・・・画素、１２１・・・操作パネル、１２３・・・第１の領域部、１２５・・・第２の領域部
【図１】
2009253919.tif 000003
【図２】
2009253919.tif 000004
【図３】
2009253919.tif 000005
【図４】
2009253919.tif 000006
【図５】
2009253919.tif 000007
【図６】
2009253919.tif 000008
【図７】
2009253919.tif 000009
【図８】
2009253919.tif 000010
【図９】
2009253919.tif 000011